(57)【要約】コンクリート・スラブ（２０）における通路を通じて虫の侵入を妨げるために物理的および化学的なバリアを提供するための物品（１１）であり、この物品は、スラブおよび通路を通って延びる部材の間で通路に属するように適応する。【選択図】図３
2008532500.tif 000002
【特許請求の範囲】
【請求項１】
コンクリート・スラブにおける通路を通じて虫の侵入を妨げるために物理的および化学的なバリアを提供するための物品であって、前記スラブおよび前記通路を通って延びる部材の間で前記通路に属するように適応する物品。
【請求項２】
請求項１に記載の物品であって、前記物品は少なくとも１つの殺虫剤を含むプラスチックから製造される物品。
【請求項３】
請求項２に記載の物品であって、前記プラスチックが有機凝縮または重合によって形成されるあらゆる合成または半合成化合物である物品。
【請求項４】
請求項２に記載の物品であって、前記プラスチックが、ポリアミド（ナイロン）、ポリ塩化ビニル、ポリエチレン、ポリスチレン、合成ゴム（例えばネオプレン）、ポリメタクリレート（アクリル）ポリプロピレン、および、ポリウレタンのいずれかまたはその組合せである物品。
【請求項５】
請求項２に記載の物品であって、前記プラスチックは高密度ポリエチレンである物品。
【請求項６】
請求項２から５のいずれか１つに記載の物品であって、前記少なくとも１つの殺虫剤は、虫に対して十分な致死コントロールおよび／または防虫剤効果を呈するあらゆる化合物である物品。
【請求項７】
請求項２から５のいずれか１つに記載の物品であって、前記少なくとも１つの殺虫剤は、ピレトリン、合成ピレスロイド、塩素化炭化水素、有機硫黄、カルバミン酸塩、有機リン化合物、ホルマミジン、ニコチノイド（スピノシン）フェニル・ピラゾール、ピロール、ピラゾール、ジニトロフェノール、ピリダジノン、キナゾリン、および、ベンゾイル尿素のいずれかまたはその組合せである物品。
【請求項８】
請求項２から５のいずれか１つに記載の物品であって、前記少なくとも１つの殺虫剤がビフェントリンである物品。
【請求項９】
請求項８に記載の物品であって、ビフェントリンの前記濃度は、０．０５から１．０重量％である物品。
【請求項１０】
請求項８に記載の物品であって、ビフェントリンの前記濃度がほぼ０．１重量％である物品。
【請求項１１】
請求項２から１０のいずれか１つに記載の物品であって、前記殺虫剤が前記プラスチックから有意に浸出しない物品。
【請求項１２】
先行する請求項のいずれかに記載の物品であって、前記物品がＵＶスタビライザを含む物品。
【請求項１３】
請求項２に記載の物品であって、前記物品は本質的に不透水的である物品。
【発明の詳細な説明】
【技術分野】
【０００１】
本発明は、コンクリート・スラブの通路を通じて虫の侵入を妨げるバリアを提供するための物品に関する。
【背景技術】
【０００２】
土台の部分として多くの住宅の下にあるのは、コンクリート・スラブである。その構造上の目的に加えて、コンクリート・スラブの機能の１つは、地面からの住宅への虫、特にシロアリの侵入を妨げることである。それは、シロアリが食べるまたは隠れることができない物理的なバリアとして作用することによってこれを達成する。
【０００３】
しかしながら、通路は、下水管および水管のような管がそれを通じて延長するのを可能にするようにコンクリート・スラブを通じて必要とされる。しかしながら、このような通路は、シロアリが、厚板および貫通している管間のいかなる隙間で移動することができるので、それを通じて住宅を攻撃する可能性があるような経路を提供することになる。
【０００４】
従来は、これに対する保護は、コンクリート・スラブおよび貫通している管間のある種の物理的なバリアの挿入または配置によって提供された。一般に、「襟」と呼ばれる物品は、このようなバリアを提供するために使用される。襟は、多くの異なる形状において得られるが、一般的に、貫通管のまわりに適合させるように成形される管状の部分、および、コンクリート・スラブに襟を係止するためのその管状の部分からのある種の突起を有する。
【０００５】
襟は、ＰＶＣまたは高密度ポリエチレンのようなプラスチック材料から、一般に製造される。
【０００６】
これらの襟バリアの問題は、ある種のシロアリはプラスチック襟を攻撃することができ、したがって、提供される物理的なバリア壊してしまうことである。
【０００７】
このような襟バリアの他の問題は、それらが貫通管と関連して十分に正確に大きさを設定される可能性はなく、その間に隙間を残すことである。物理的なバリアの作用に依存するので、バリアのあらゆる隙間によりそれの効果をなくしてしまう。
【発明の開示】
【０００８】
本発明の一態様によれば、コンクリート・スラブの通路で虫の侵入を妨げる物理的なおよび化学的なバリアを提供するための物品が提供され、物品は通路を通って延びている厚板および部材間の通路に存在するように適応している。
【０００９】
一般的に、部材は管または導管であるが、ケーブルのような他の形状をとることができる。
【００１０】
好ましくは、物品は物理的および化学的なバリアに加えて、防虫剤バリアを提供する。物品は、「襟バリア」と呼ばれる可能性がある。
【００１１】
好ましくは、物品は少なくとも１つの殺虫剤を含んでいるプラスチックから製造される。
【００１２】
好ましくは、プラスチックは有機凝縮または重合によって形成されるあらゆる合成または半合成の化合物である。
【００１３】
好ましくは、プラスチックは物体またはフィルムまたは繊維に成形または押出成形することができるあらゆるプラスチックである。
【００１４】
好ましくは、プラスチックはポリアミド（ナイロン）、ポリエチレン、ポリスチレン、ポリ塩化ビニル合成ゴム（例えばネオプレン）、ポリメタクリレート（アクリル）、ポリプロピレン、および、ポリウレタンのいずれか１つまたはその組合せである。
【００１５】
好ましくは、プラスチックは高密度ポリエチレンである。
【００１６】
好ましくは、物品はＵＶスタビライザを含む。
【００１７】
好ましくは、物品は青色着色剤を含む。
【００１８】
好ましくは、本質的に物品は不透水的である。
【００１９】
好ましくは、少なくとも１つの殺虫剤は、虫に対して十分な致死コントロールおよび／または防虫剤効果を呈するあらゆる化合物である。
【００２０】
代替的に、少なくとも１つの殺虫剤に加えて別の防虫剤化合物は、プラスチックに含まれる可能性がある。
【００２１】
好ましくは、少なくとも１つの殺虫剤は、ピレトリン、合成ピレスロイド、塩素化炭化水素、有機硫黄、カルバミン酸塩、有機リン化合物、ホルマミジン、ニコチノイド、スピノシン、フェニル・ピラゾール、ピロール、ピラゾール、ジニトロフェノール、ピリダジノン、キナゾリン、および、ベンゾイル尿素のいずれかまたはその組合せである。
【００２２】
一般的に、物品によって妨げられる虫は、シロアリである。
【００２３】
好ましくは、少なくとも１つの殺虫剤はアリ駆虫剤である。
【００２４】
好ましくは、アリ駆虫剤は合成ピレスロイドである。
【００２５】
好ましくは、アリ駆虫剤はビフェントリン、ペルメトリン、デルタメトリン、ラムダ-シハロトリン、シペルメトリン、アルファ‐シペルメトリン、テトラメトリン、および、シフルトリンまたはあらゆる他の合成ピレスロイドのいずれかまたはその組合せである。
【００２６】
好ましくは、少なくとも１つの殺虫剤は、ビフェントリンである。
【００２７】
好ましくは、殺虫剤および／または防虫剤は、プラスチックを通じて分配される。
【００２８】
好ましくは、殺虫剤はプラスチックから有意に浸出しない。したがって、その活動はプラスチック・マトリクスで表される。
【００２９】
好ましくは、防虫剤はプラスチックから有意に浸出しない。
【００３０】
好ましくは、プラスチックの殺虫剤の濃度は５重量％より少ない。
【００３１】
好ましくは、プラスチックの殺虫剤の濃度は０.０１重量％より大きい。
【００３２】
殺虫剤がビフェントリンである場合、プラスチックにおけるその濃度は好ましくは０．０５から１．０重量％である。好ましくは、ビフェントリンはほぼ０．０５から０．１重量％の濃度を有し、より好ましくは０.１重量％の濃度を有する。
【００３３】
使用中に、殺虫剤は化学的なバリアを提供し、防虫剤バリアもまた提供する可能性がある。ビフェントリンは、虫の侵入への化学的なバリアと同様に防虫剤バリアを提供する。
【００３４】
存在する場合、防虫剤は使用中に、防虫剤バリアを提供する。好ましくは、物品はブロー成形工程において形成される。
【００３５】
好ましくは、物品は殺虫剤を含むプラスチックのマスター・バッチから形成される。
【００３６】
好ましくは、マスター・バッチは、プラスチックにおいて安定して支持される殺虫剤の濃度を有する。
【００３７】
物品は、いかなる特定の形状に限られていないが、一般に、中空である管状体を有するので、使用中に、物品は部材周辺でぴったりと適合する可能性がある。
【００３８】
好ましくは、管状体および部材間の適合は、物理的なバリアを提供するために十分に密着している。
【００３９】
様々に大きさで設定された物品は、異なる大きさで設定された管で使われるように提供される可能性がある。これらの異なる大きさで設定された物品の直径は、一般的に２５、４０、５０、８０および１００ｍｍである。
【００４０】
代替的に、物品が、部材のサイズに従い必要とされるように管状体内部で配置されるため、様々な厚みの挿入から構成される場合、単一の大きさに設定された物品が提供される可能性がある。
【発明を実施するための最良の形態】
【００４１】
図１および２を参照すると、本願明細書において「襟バリア」と呼ばれ、コンクリート・スラブを通じた虫の侵入を妨げるバリアを提供するために使用される物品１０が図示される。下記の説明から明瞭になるように、襟バリア１０は、それがそれを通じて分散する殺虫剤を有するプラスチックから製造されるという事実によって、虫の侵入を妨げるために物理的および化学的なバリアを提供する。襟バリア１０はまた、プラスチックがそれを通じて分散する防虫剤で製造される場合、防虫剤バリア、すなわち、コンクリート・スラブのその場所から離れるように虫を忌避するバリアを提供する可能性がある。
【００４２】
さらに、襟バリア１０は不透水的であり、したがって、水分バリアもまた提供する。
【００４３】
襟バリア１０が製造されるプラスチックは、物体またはフィルムまたは繊維に成形または押出成形されることができる有機凝縮または重合によって形成されるあらゆる半合成化合物の合成物であってもよい。このような化合物は、ポリアミド（ナイロン）、ポリエチレン、ポリスチレン、ポリ塩化ビニル、合成ゴム（例えばネオプレン）、ポリメタクリレート（アクリル）ポリプロピレンおよびポリウレタンを含むが、これらに限定されるものではない。プラスチックは、これらの化合物の２つまたはそれ以上の組合せから形成される可能性がある。使用される好ましいプラスチックは、高密度ポリエチレンである。
【００４４】
プラスチックは、露光する場合、プラスチックの破壊を妨げるためにＵＶスタビライザを含む可能性がある。これは、最高５０年以上の間使用される可能性がある襟バリア１０の長命を維持する際に重要である。プラスチックはまた、青い着色剤から構成される可能性があるので、襟バリア１０の色は青い。
【００４５】
プラスチックと混合される殺虫剤は、虫、特にシロアリに対して十分なコントロールおよび／または防虫剤効果を呈するあらゆる化合物である可能性がある。このような化合物は、ピレトリン、合成ピレスロイド、塩素化炭化水素、有機硫黄、カルバミン酸塩、有機リン化合物、ホルマミジン、ニコチノイド（スピノシン）フェニル・ピラゾール、ピロール、ピラゾール、ジニトロフェノール、ピリダジノン、キナゾリンおよびベンゾイル尿素を含むが、これらに限定されるものではない。好ましくは、例えばビフェントリン、ペルメトリン、デルタメトリン、ラムダ-シハロトリン、シペルメトリン、アルファ‐シペルメトリン、テトラメトリンおよびシフルトリンまたはあらゆる他の合成ピレスロイドのような有名なアリ駆虫剤またはアリ駆虫剤の組合せが使用される。いくつかの上述した殺虫剤化合物もまた、防虫剤効果を提供する可能性があり、このことにより、上述の防虫剤バリアを作成する。
【００４６】
一般的に、プラスチックにおける殺虫剤の濃度は、５重量％より少なく、０.０１重量％を超える。殺虫剤の濃度は、使用される実際の化合物に依存する。殺虫剤が例えばビフェントリンである場合、プラスチックの殺虫剤（ビフェントリン）の濃度は、０．０５から１．０重量％であり、好ましくは０．０５から０．１重量％であり、最も好ましくはほぼ０.１重量％である。
【００４７】
特に、ビフェントリンは虫の侵入に対する化学的なバリアと同様に防虫剤バリアを提供する。
【００４８】
襟バリア１０の製造は、「マスター・バッチ」を形成するため、殺虫剤とポリマー樹脂との混合を含む。マスター・バッチは、端カラー・バリア１０製品より高い殺虫剤濃度を有する。マスター・バッチの殺虫剤の濃度は、ポリマ・マトリックにおいて安定して支持されるものより高い（すなわち、反応せずおよび／またはプラスチックから浸出しない。）
【００４９】
殺虫剤がビフェントリンである好適な実施例の襟バリア１０のための、一実施例におけるマスター・バッチを形成するために殺虫剤とポリマー樹脂の混合は、固体のビフェントリン（＞９９％純度）の溶解、ポリマー樹脂（好ましくは低密度ポリエチレン）の溶解、および、別々にポリマー樹脂およびビフェントリン融成物の溶解を含む。代替的に、粉末状のビフェントリン（タルカムパウダと混合する）またはビフェントリンの溶液は、マスター・バッチを形成するために融解したポリマー樹脂と混合される可能性がある。好ましい実施例において、マスター・バッチのビフェントリンの濃度は、ほぼ２重量％である。しかしながら、マスター・バッチのビフェントリンの濃度は、本質的により高い可能性がある。
【００５０】
マスター・バッチは、端カラー・バリア１０製品のための殺虫剤の所望の濃度を達成するため、その後の希薄を待ち、固体化され、ペレットに形成される。マスター・バッチの希薄は、同質の固体の混合物を形成するため、固体のポリマー・ペレットと固体のマスター・バッチ・ペレットを混合することによって発生する。同質の固体の混合物は、溶解し、それからあらゆる適切な手段によって襟バリア１０に形成される。
【００５１】
好ましい実施例では、襟バリア１０は、プラスチックおよび殺虫剤の融解した同質の混合物を成形するブローによって形成される。
【００５２】
本発明の襟バリア１０はあらゆる特定の形状に限られていない、しかしながら、それは一般に図において示される設計である。襟バリア１０は、管状体１１、管状体１１から延長しているスラブ・キーフランジ１２、および、管状体１１からまた延長している底部フランジ１３から構成される。底部フランジ１３の幅は、スラブ・キーフランジ１２より非常に大きい。管状体１１は中空であるので、貫通管２１（図３参照）周辺で適合されることができる。これは、物理的なバリアを形成するために好ましくは密着した適合であるべきである。底部フランジ１３は、管状体１１の一端にある。
【００５３】
図３を参照すると、使用中の襟バリア１０が示される。コンクリート・スラブ２０は、通路２２を通って延びている貫通管２１を有する。管２１がケーブルのような他の部材であってもよいことに留意するべきである。襟バリア１０は、スラブ２０および貫通管２１との間の通路２２に位置する。襟バリア１０の管状体１１の内部壁は、貫通管２１との密着した適合を有する。
【００５４】
底部フランジ１３は、通路２２への虫の侵入を妨げるのを助けるためにコンクリート・スラブ２０の底部と同一平面上である。スラブ・キーフランジ１２は、スラブ２０と関連して襟バリア１０を適所に「係止する」ために、コンクリート・スラブ２０に延長する。
【００５５】
したがって、使用中に、襟バリア１０は、貫通管２１およびコンクリート・スラブ２０間の通路２２の空間の間で空間を遮断することによって、コンクリート・スラブ２０で虫の侵入に対して物理的なバリアを作成する。化学的なバリアは、襟バリア１０が製造されるプラスチック材料を通じて分散する殺虫剤を備える。殺虫剤はプラスチックから有意に浸出しないが、その代わりに保持され、プラスチック・マトリクスによって、その活動は表される。殺虫剤の活動がプラスチックの範囲内で表されるので、効果的に襟バリア１０が作用するために、浸出する土壌のような基板を必要としない。シロアリが襟バリア１０を攻撃する場合、プラスチックを含んでいる殺虫剤のあらゆる接触または摂取はシロアリを殺す。殺虫剤がプラスチックにおいてしっかりと結合されて、水で除去されないにもかかわらず、襟バリア１０と接触して殺虫剤を採る虫に致死量を供給するのに十分な殺虫剤がなお存在する、という理由による。ほんの少しの殺虫剤のみが虫を殺すために必要とされる。
【００５６】
同様に、防虫剤バリアは襟バリア１０が製造されるプラスチックによって分散する防虫化合物を備える。防虫化学薬品はまた、プラスチックから有意に浸出しない。防虫剤バリアを有する利点は、隙間が襟バリア１０および貫通管２１の間に存在する場合であっても通路２２から離れてシロアリを忌避することである。
【００５７】
襟バリア１０は、代替のサイズの通路２２に合うようなサイズの範囲において製造される可能性がある。これらの異なる大きさに設定された襟バリア１０の管状体１１の直径は、一般的に２５、４０、５０、８０および１００ｍｍである。代替的に、標準的な襟サイズは、様々な厚みの挿入物（図示せず）を備えて提供されることができる。挿入物は、貫通管２１のサイズに従い必要とされるようにそれから管状体１１内部で配置されることができる。
【００５８】
本発明の先行する説明において、明確な言語または必要な含みに起因して文脈が別途必要とするものを除いて、「構成される（ｃｏｍｐｒｉｓｅ）」という単語、または、「ｃｏｍｐｒｉｓｅｓ」または「ｃｏｍｐｒｉｓｉｎｇ」のようなその変形物は、それを含む、すなわち、明示された特徴の存在を特定するが、発明の様々な実施例のさらなる特徴の存在または付加を排除しない意味において使われる。
【図面の簡単な説明】
【００５９】
本発明の好ましい実施例は、例としてのみ添付の図面に関して、次に記載される：ここにおいて、
【図１】本発明の好ましい実施例によりバリアを提供するための物品の斜視図である；
【図２】図１の物品の側面図である；
【図３】使用中に配置される図１の物品の概略側面図である。
【図１】
2008532500.tif 000003
【図２】
2008532500.tif 000004
【図３】
2008532500.tif 000005
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
コンクリート・スラブにおける通路を通じて虫の侵入を妨げるために物理的および化学的なバリアを提供するための物品であって、前記スラブおよび前記通路を通って延びる部材の間で前記通路に属するように適応し、前記物品は前記プラスチックを通じて分配される少なくとも１つの殺虫剤を有するプラスチックから製造され、ここにおいて、前記少なくとも１つの殺虫剤は、前記プラスチック内で本質的に保持される物品。
【請求項２】
請求項１に記載の物品であって、前記プラスチックが有機凝縮または重合によって形成されるあらゆる合成または半合成化合物である物品。
【請求項３】
請求項１に記載の物品であって、前記プラスチックが、ポリアミド（ナイロン）、ポリ塩化ビニル、ポリエチレン、ポリスチレン、合成ゴム（例えばネオプレン）、ポリメタクリレート（アクリル）ポリプロピレン、および、ポリウレタンのいずれかまたはその組合せである物品。
【請求項４】
請求項１に記載の物品であって、前記プラスチックは高密度ポリエチレンである物品。
【請求項５】
先行する請求項のいずれか１つに記載の物品であって、前記少なくとも１つの殺虫剤は、虫に対して十分な致死コントロールおよび／または防虫剤効果を呈するあらゆる化合物である物品。
【請求項６】
先行する請求項のいずれか１つに記載の物品であって、前記少なくとも１つの殺虫剤は、ピレトリン、合成ピレスロイド、塩素化炭化水素、有機硫黄、カルバミン酸塩、有機リン化合物、ホルマミジン、ニコチノイド（スピノシン）フェニル・ピラゾール、ピロール、ピラゾール、ジニトロフェノール、ピリダジノン、キナゾリン、および、ベンゾイル尿素のいずれかまたはその組合せである物品。
【請求項７】
先行する請求項のいずれか１つに記載の物品であって、前記少なくとも１つの殺虫剤がビフェントリンである物品。
【請求項８】
請求項７に記載の物品であって、ビフェントリンの前記濃度は、０．０５から１．０重量％である物品。
【請求項９】
請求項７に記載の物品であって、ビフェントリンの前記濃度がほぼ０．１重量％である物品。
【請求項１０】
先行する請求項のいずれか１つに記載の物品であって、前記物品がＵＶスタビライザを含む物品。
【請求項１１】
先行する請求項のいずれか１つに記載の物品であって、前記物品は本質的に不透水的である物品。
【国際調査報告】
2008532500.tif 000006
2008532500.tif 000007